(57)【特許請求の範囲】
【請求項１】
第１カード又はこの第１カードよりも長さ方向及び幅方向の寸法が短い第２カードを選択的に装着可能なカード装着空間が形成されるハウジングと、
前記カード装着空間に装着される前記第１カード又は第２カードと共にスライド移動可能なスライド部材と、
前記ハウジングに設けられ、前記第１カードの接触部に接触する第１コンタクト端子及びこの第１コンタクト端子よりもカード挿入口側で前記第２カードの接触部と接触する第２コンタクト端子と、
前記スライド部材における前記カード挿入口側の一部に回動可能に支持され、前記第２カードの挿入経路に相当する領域に前記第２カードを通過させる開口部が形成され、前記第１カードの挿入経路側となる一方の面に前記第１カードの前端部が接触する接触面が形成され、前記第２カードの挿入経路側となる他方の面に前記第２のカードの前端部と当接する当接片が形成された回動部材と、前記回動部材の前記接触面が前記第１カードの挿入経路上に配置されるように前記回動部材を付勢する第１の付勢部とを備え、
前記回動部材は、前記第１カードの挿入に伴って前記接触面に接触した前記第１カードの前端部から受ける押圧力により前記第１の付勢部の付勢力に抗して回動して前記第１カードの挿入経路から退避すると共に前記第２コンタクト端子に接触して前記第２コンタクト端子を前記第１カードの挿入経路から離れる方向に移動させ、前記第２カードの挿入時には前記開口部を前記第２カードが通過して回動することなく当該第２カードの前端部が前記当接片に当接し、前記第２カードの挿入経路に位置した状態で前記スライド部材と共に挿入方向の前方側に移動して前記第２カードを前記第２カードの装着位置にガイドすることを特徴とするカード用コネクタ装置。
【請求項２】
前記回動部材は、前記第２カードの挿入時に、前記第２カードの側面部と接触して第２カードの側方側への移動を規制することを特徴とする請求項１記載のカード用コネクタ装置。
【請求項３】
前記ハウジングにおける前記第２コンタクト端子の設置面と当該設置面に対向配置された前記回動部材との間に配置され、前記ハウジングに回動可能に支持され、前記第２コンタクト端子を保護する保護板を更に具備し、
前記保護板は、前記第２コンタクト端子の接触部を当該保護板の下面側から上面側となる前記第２カードの挿入経路側へ露出させる開口部と、前記保護板の上面を前記第２カードの挿入経路上に浮上させるように前記保護板を付勢する第２の付勢部と、を備え、
前記保護板は、前記第１カードの挿入に伴って前記第１カードの挿入経路から退避する前記回動部材から受ける押圧力により前記第２の付勢部の付勢力に抗して回動して前記第２コンタクト端子を前記第１カードの挿入経路から離れる方向に移動させることを特徴とする請求項１又は請求項２記載のカード用コネクタ装置。
【請求項４】
前記回動部材は、前記第２カードの挿入経路側となる他方の面に、前記当接片と、前記第２カードの上面と接触し当該第２カードのカード面に対して垂直方向の高さ位置を規制する接触面と、を備えることを特徴とする請求項１から請求項３のいずれかに記載のカード用コネクタ装置。
【請求項５】
前記回動部材は、前記当接片の下面で前記保護板と接触し、前記保護板を回動させることを特徴とする請求項４記載のカード用コネクタ装置。
【発明の詳細な説明】
【技術分野】
【０００１】
本発明は、カード用コネクタ装置に関し、特に、寸法の異なる２種類のカードを選択的に装着可能なカード用コネクタ装置に関する。
【背景技術】
【０００２】
従来、一方のカードの寸法が他方のカードの寸法に包含される２種類のカードを選択的に装着可能とするカード用コネクタ装置が提案されている（例えば、特許文献１参照）。このカード用コネクタ装置においては、一方のカードを装着位置に案内可能な挿入口の近傍に、他方のカードを装着位置に案内可能な案内部材を配置することで、２種類のカードの装着に対応するものである。
【特許文献１】特開２００５−１３５６２９号公報
【発明の開示】
【発明が解決しようとする課題】
【０００３】
しかしながら、上述した特許文献１記載のカード用コネクタ装置においては、長さ寸法の長いカードを挿入する際、その前端部で案内部材を挿入方向に移動させることから、装置の奥行き方向の寸法が大きくなるという問題がある。
【０００４】
本発明はかかる問題点に鑑みてなされたものであり、装置の奥行き方向の寸法を小さくすることができるカード用コネクタ装置を提供することを目的とする。
【課題を解決するための手段】
【０００５】
本発明のカード用コネクタ装置は、第１カード又はこの第１カードよりも長さ方向及び幅方向の寸法が短い第２カードを選択的に装着可能なカード装着空間が形成されるハウジングと、前記カード装着空間に装着される前記第１カード又は第２カードと共にスライド移動可能なスライド部材と、前記ハウジングに設けられ、前記第１カードの接触部に接触する第１コンタクト端子及びこの第１コンタクト端子よりもカード挿入口側で前記第２カードの接触部と接触する第２コンタクト端子と、前記スライド部材における前記カード挿入口側の一部に回動可能に支持され、前記第２カードの挿入経路に相当する領域に前記第２カードを通過させる開口部が形成され、前記第１カードの挿入経路側となる一方の面に前記第１カードの前端部が接触する接触面が形成され、前記第２カードの挿入経路側となる他方の面に前記第２のカードの前端部と当接する当接片が形成された回動部材と、前記回動部材の前記接触面が前記第１カードの挿入経路上に配置されるように前記回動部材を付勢する第１の付勢部とを備え、前記回動部材は、前記第１カードの挿入に伴って前記接触面に接触した前記第１カードの前端部から受ける押圧力により前記第１の付勢部の付勢力に抗して回動して前記第１カードの挿入経路から退避すると共に前記第２コンタクト端子に接触して前記第２コンタクト端子を前記第１カードの挿入経路から離れる方向に移動させ、前記第２カードの挿入時には前記開口部を前記第２カードが通過して回動することなく当該第２カードの前端部が前記当接片に当接し、前記第２カードの挿入経路に位置した状態で前記スライド部材と共に挿入方向の前方側に移動して前記第２カードを前記第２カードの装着位置にガイドすることを特徴とする。
【０００６】
上記カード用コネクタ装置によれば、回動部材が、第２カードの挿入に伴ってスライド部材と共に移動して第２カードを装着位置にガイドする一方、第２カードよりも寸法が長い第１カードの挿入に伴って回動してその挿入を許容することから、第１カードの挿入に伴う回動部材の奥行き方向の移動のための空間を設ける必要がないので、装置の奥行き方向の寸法を小さくすることが可能となる。
【０００７】
特に、上記カード用コネクタ装置において、前記回動部材は、前記第２カードの挿入時に、前記第２カードの側面部と接触して第２カードの側方側への移動を規制することが好ましい。この場合には、回動部材が、挿入された第２カードの側面部に接触して第２カードの幅方向の移動を規制することができるので、より正確に第２カードの装着位置にガイドすることが可能となる。
【０００８】
また、上記カード用コネクタ装置において、前記回動部材は、前記第１カードの挿入に伴って回動する際、前記第２コンタクト端子に接触し、前記第２コンタクト端子を前記第１カードの挿入経路から退避させることが好ましい。この場合には、回動部材の回動に伴って第２コンタクト端子を第１カードの挿入経路から離れる方向に移動させることができるので、第１カードと第２コンタクト端子との接触による第２コンタクト端子の損傷を防止することが可能となる。
【０００９】
なお、上記カード用コネクタ装置においては、前記ハウジングにおける前記第２コンタクト端子の設置面と当該設置面に対向配置された前記回動部材との間に配置され、前記ハウジングに回動可能に支持され、前記第２コンタクト端子を保護する保護板を更に具備し、前記保護板は、前記第２コンタクト端子の接触部を当該保護板の下面側から上面側となる前記第２カードの挿入経路側へ露出させる開口部と、前記保護板の上面を前記第２カードの挿入経路上に浮上させるように前記保護板を付勢する第２の付勢部と、を備え、前記保護板は、前記第１カードの挿入に伴って前記第１カードの挿入経路から退避する前記回動部材から受ける押圧力により前記第２の付勢部の付勢力に抗して回動して前記第２コンタクト端子を前記第１カードの挿入経路から離れる方向に移動させるようにしても良い。この場合には、第１カードの挿入に伴う第２コンタクト端子の損傷を防止することができると共に、カードが挿入されていない状態においても、保護部材で第２コンタクト端子を保護することが可能となる。
【００１０】
例えば、上記カード用コネクタ装置において、前記回動部材は、前記第２カードの挿入経路側となる他方の面に、前記当接片と、前記第２カードの上面と接触し当該第２カードのカード面に対して垂直方向の高さ位置を規制する接触面とを備える。この場合には、当接片及び接触面という簡単な構成を用いて、第２カードの前端部と当接してスライド部材と共に挿入方向の前方側に移動すると共に、第２カードの装着位置にガイドすることが可能となる。
【００１１】
上記カード用コネクタ装置において、前記回動部材は、前記当接片の下面で前記保護板と接触し、前記保護板を回動させることが好ましい。この場合には、第２カードと当接する当接片を用いて保護部材を回動させることができるので、当接片に２つの機能を持たせることができ、回動部材の構造を簡素化することが可能となる。
【発明の効果】
【００１２】
本発明によれば、回動部材が、第２カードの挿入に伴ってスライド部材と共に移動して第２カードを装着位置にガイドする一方、第２カードよりも寸法が長い第１カードの挿入に伴って回動してその挿入を許容することから、第１カードの挿入に伴う回動部材の奥行き方向の移動のための空間を設ける必要がないので、装置の奥行き方向の寸法を小さくすることが可能となる。
【発明を実施するための最良の形態】
【００１３】
以下、本発明の一実施の形態について添付図面を参照して詳細に説明する。なお、本実施の形態に係るカード用コネクタ装置（以下、単に「コネクタ」という）１は、２種類のカードを選択的に装着可能とするものであり、具体的には、第１カードとしてのカードＡと、このカードＡより挿入方向に沿った長さ方向の寸法が短く、幅方向の寸法も短い第２カードとしてのカードＢとを選択的に装着可能とする。なお、カードＡ、Ｂは、いずれもコネクタ１に対する挿入方向の前方部下面に、信号を送受信するために使用される複数の接触パッドが設けられている。
【００１４】
図１は、本発明の一実施の形態に係るコネクタ１の外観を示す斜視図である。なお、以下においては、適宜、図１に示す紙面上方側を「コネクタ１の前方側」又は単に「前方側」と呼び、同図に示す紙面下方側を「コネクタ１の後方側」又は単に「後方側」と呼ぶものとする。また、図１に示す紙面右方側を「コネクタ１の右方側」又は単に「右方側」と呼び、同図に示す紙面左方側を「コネクタ１の左方側」又は単に「左方側」と呼ぶものとする。
【００１５】
図１に示すように、本実施の形態に係るコネクタ１は、合成樹脂材料などの絶縁材料を成型して形成されるハウジング２と、金属薄板材料に打ち抜き加工及び折り曲げ加工などを施して形成されるカバー部材３とを備えている。ハウジング２は、概して偏平な直方体形状を有しており、主にその上方側及び前方側に開口した空間を有している。カバー部材３は、ハウジング２の上方側の開口部に対応する形状を有しており、ハウジング２の上方側から被せられる。これらを組み合わせることにより、コネクタ１は、前方側に開口した形状となり、この開口部でカード挿入口４が構成される。なお、カバー部材３は、合成樹脂材料などの絶縁材料を成型して形成しても良い。
【００１６】
カバー部材３の上面には、一対の付勢片３０１が形成されている。これらの付勢片３０１は、僅かに下方側に折り曲げられている。これらの付勢片３０１は、カードＡが挿入されていない状態で後述するシャッタ部材５の一部を収容すると共に、カードＡが挿入された状態でその上面を付勢する。このようなカバー部材３は、例えば、カバー部材３の所定位置に開口部を形成する一方、この開口部に係合する係合片をハウジング２に設け、これらを係合させることでハウジング２に取り付けられる。
【００１７】
以下、本実施の形態に係るコネクタ１の内部の構成について説明する。図２及び図３は、それぞれ本実施の形態に係るコネクタ１の内部の構成を説明するための斜視図及び上面図である。図４は、図２及び図３に示すコネクタ１を前方側から示す図である。なお、図２〜図４においては、図１に示す状態のコネクタ１からカバー部材３を取り除いた場合について示している。
【００１８】
図２及び図３に示すように、ハウジング２の内部には一定の空間が形成されており、この空間の一部で２種類のカードが装着可能な空間（以下、適宜「カード装着空間」という）が構成される。このカード装着空間には、２種類のカードに対応するコンタクト端子（以下、「コンタクト」という）、カード装着空間におけるカードＡの挿入経路を遮蔽すると共に、カードＢの挿入経路を規定するシャッタ部材５、双方のカードと共にスライド移動可能なスライド部材６、挿入されたカードに応じて回動する回動部材７、並びに、カードＢ用のコンタクトを保護するための保護部材８が配設されている。
【００１９】
ハウジング２内のカード装着空間において、シャッタ部材５は、カード挿入口４の僅かに内部側（前方側）の位置に配設されている。また、スライド部材６は、このシャッタ部材５よりも更に内部側（前方側）の位置に配設されている。そして、回動部材７は、このスライド部材６の後方側の端部近傍に回動可能に取り付けられている。２種類のカードに対応するコンタクトは、ハウジング２におけるカード挿入口４からのカードの挿入経路上に適宜配設されている。保護部材８は、カードＢ用のコンタクトの近傍に配設されている。
【００２０】
ハウジング２は、コネクタ１の底面部を構成するベース部２０１と、コネクタ１の側端部において、このベース部２０１から上方側に垂直に立設された側壁部２０２とを有している。ベース部２０１には、詳細について後述するように、２種類のカードに対応するコンタクトが設けられると共に、上述した保護部材８が一定範囲内で回動可能に取り付けられている。
【００２１】
側壁部２０２における後方側の端部近傍の位置には、後述するシャッタ部材５の軸５０１を支持する孔２０３が形成されている。また、側壁部２０２の後方側端部の内側面は、カード挿入口４の一部を規定するものであり、カードＡの挿入をガイドする第１ガイド部２０４と、カードＢの挿入をガイドする第２ガイド部２０５とが形成されている。
【００２２】
図４に示すように、第１ガイド部２０４は、側壁部２０２の後方側端部の内側面における上方側の２／３程度の範囲に形成されており、挿入時におけるカードＡの側面及び下面をガイドするように構成されている。なお、挿入時におけるカードＡの上面は、カバー部材３の下面でガイドされる。一方、第２ガイド部２０５は、第１ガイド部２０４よりも下方側であって、ハウジング２のベース部２０１の一部と共に形成され、挿入時におけるカードＢの側面及び下面をガイドするように構成されている。
【００２３】
側壁部２０２における後方側端部の近傍には、僅かに内側に延出する一対の規制壁２０６が設けられている。この規制壁２０６は、スライド部材６の後方側への移動を規制するものである。左方側の規制壁２０６の上端部には、後述するスライド部材６の停止位置を決めるための係止部材９の一端を係止する係止穴２０６ａが形成されている。この係止穴２０６ａは、係止部材９の一端が上方側から差し込まれるように構成されている。
【００２４】
シャッタ部材５は、合成樹脂材料などの絶縁材料を成型して形成される。シャッタ部材５は、コネクタ１の左右方向の略全域に亘って延在し、図４に示すように、カード挿入口４の上方側の領域に臨む位置に配設されている。シャッタ部材５には、コネクタ１の側方側に延出する軸５０１が形成されている。この軸５０１をハウジング２の孔２０３に挿通することで、シャッタ部材５は、ハウジング２に回動可能に支持されている。そして、この軸５０１を回動支点として、上方側部分がコネクタ１の後方側に倒れるようにして回動し、カードＡの挿入経路を開放する。この軸５０１には、シャッタ部材５を図２〜図４に示す初期位置に復帰させる付勢力を付与する不図示のコイルばねが取り付けられている。シャッタ部材５は、カードＡの挿入に伴い、このコイルばねの付勢力に抗して回動するように構成されている。なお、初期状態におけるシャッタ部材５の下面には、カードＢの挿入経路を規定する凹部５０２が形成されている。
【００２５】
スライド部材６は、合成樹脂材料などの絶縁材料を成型して形成される。スライド部材６は、コネクタ１の前方側に配置され、コネクタ１の左右方向に延在する当接部６０１と、この当接部６０１の側端部から後方側に延出する一対の腕部６０２、６０３とを有している。これらの当接部６０１と、腕部６０２、６０３とにより、概してコネクタ１の後方側に開口したコ字形状を有し、この開口した部分にコネクタ１に挿入されたカードＡが入り込むように構成されている。スライド部材６は、このようにカードＡを受け入れた状態で前方側に移動してカードＡをその装着位置にガイドする役割を果たす。なお、スライド部材６は、一端がハウジング２に固定された不図示の付勢ばねの他端により前方側に付勢された状態となっている。
【００２６】
当接部６０１の後方側の面には、コネクタ１に挿入されたカードＡの前端部が当接する。腕部６０２、６０３の下端部は、当接部６０１の下端部よりも下方側に延出しており、ハウジング２のベース部２０１に接触している。カードＡ、Ｂの挿入に伴い、スライド部材６は、腕部６０２、６０３の下端部をベース部２０１に摺接させながらスライド移動可能となっている。なお、腕部６０２、６０３の下方側には、回動部材７を収容する空間が形成されている。
【００２７】
左方側の腕部６０２の後端部近傍における上面には、スライド部材６の停止位置を決めるための係止部材９の一端が係合するガイド溝６０４が形成されている。ガイド溝６０４は、図３に示すように、概してハート形状を有するハート形カムの左方側に配置される第１ガイド溝６０４ａ、右方側に配置される第２ガイド溝６０４ｂ、並びに、第１及び第２ガイド溝６０４ａ、ｂに連結され、係止部材９の一端を係止する係止部を有する凹み溝６０４ｃで構成される。このガイド溝６０４における係止部材９の位置に応じてスライド部材６の位置が決定される。なお、腕部６０２、６０３の後端部の下端部近傍には、後述する回動部材７の軸７０４を支持する孔（不図示）が形成されている。
【００２８】
回動部材７は、合成樹脂材料などの絶縁材料を成型して形成され、コネクタ１の左右方向に延在するガイド部７０１と、このガイド部７０１から後方側に延出する一対の腕部７０２、７０３とを有している。ガイド部７０１は、コネクタ１に挿入されたカードＢの前端部と当接すると共に、その上面に接触することで当該カードＢの位置を規制する。腕部７０２、７０３の後方側の端部近傍には、コネクタ１の側方側に延出する軸７０４が設けられている。この軸７０４をスライド部材６の孔に挿通することで、回動部材７は、腕部７０２、７０３の下方側の空間内でスライド部材６に回動可能に支持されている。回動部材７は、カードＢの挿入時において、スライド部材６と共に移動してカードＢをその装着位置に案内する役割を果たす。なお、この回動部材７の構成については後述する。
【００２９】
図５及び図６は、それぞれ本実施の形態に係るコネクタ１の内部の構成を説明するための斜視図及び上面図である。なお、図５及び図６においては、図２及び図３に示す状態のコネクタ１からシャッタ部材５、スライド部材６、回動部材７及び係止部材９を取り除いた場合について示している。
【００３０】
図５に示すように、ハウジング２のベース部２０１の中央近傍には、矩形状の開口部２０７が形成されている。この開口部２０７の前方側及び後方側の端面に、コネクタ１の左右方向に整列して複数のカードＢ用のコンタクト（以下、「カードＢ用コンタクト」という）２０８、２０９が設けられている。カードＢ用コンタクト２０８は、基端部がベース部２０１に固定される一方、先端部がコネクタ１の前方側であって僅かに上方側に延在し、一定範囲で上下方向に揺動可能となっている。同様に、カードＢ用コンタクト２０９は、基端部がベース部２０１に固定される一方、先端部がコネクタ１の後方側であって僅かに上方側に延在し、一定範囲で上下方向に揺動可能となっている。これらのカードＢ用コンタクト２０８、２０９の先端部は、下方側に折り曲げられており、その折曲部近傍で装着されたカードＢの接触パッドと接触するように構成されている。
【００３１】
保護部材８は、カードＢ用コンタクト２０８、２０９を上方側に露出させた状態で開口部２０７に配置されている。保護部材８は、後方側の端部近傍で側方側に延出する不図示の軸を有し、この軸を開口部２０７の後端部近傍の側方側の端面に形成された穴に挿入することでベース部２０１に取り付けられる。保護部材８は、この軸を回動支点として、その前方側の端部が一定範囲で回動可能に構成されている。また、保護部材８は、不図示のコイルばねにより上方側に付勢され、初期状態においてカードＢの挿入経路上に浮上した状態となっている。保護部材８の所定位置には、複数の開口部２１０が形成されている。カードＢ用コンタクト２０８、２０９は、この開口部２１０を介してその先端部を上方側に露出可能となっている。
【００３２】
開口部２０７の前方側には、ベース部２０１からせり上がり、コネクタ１に挿入されたカードＡの前方部の下面をガイドするガイド部２１１が設けられている。このガイド部２１１の側方側端部には、挿入されたカードＡの側面をガイドするガイド壁２１１ａ、ｂが設けられている。また、ガイド２１１の前方側端部には、複数のカードＡ用のコンタクト（以下、「カードＡ用コンタクト」という）２１２を保持する保持壁部２１３が設けられている。なお、この保持壁部２１３は、ハウジング２の前面部の一部を構成する。
【００３３】
カードＡ用コンタクト２１２は、基端部が保持壁部２１３に固定される一方、先端部がコネクタ１の後方側であって僅かに上方側に延在し、一定範囲で上下方向に揺動可能となっている。カードＡ用コンタクト２１２の先端部は、カードＢ用コンタクト２０８、２０９と同様に、下方側に折り曲げられており、その折曲部近傍でカードＡの接触パッドと接触するように構成されている。なお、カードＡ用コンタクト２１２の前方側の一端は、保持壁部２１３の前方側に導出されている。
【００３４】
保持壁部２１３には、コネクタ１の後方側に延出する保護板部２１４が設けられている。保護板部２１４の後方側端部は、カードＡ用コンタクト２１２の先端よりも後方側に延出している。この保護板部２１４は、カードＡと異なるカードの誤挿入に伴うカードＡ用コンタクト２１２の破損を防止するためのものである。保護板部２１４の所定位置には、カードＡ用コンタクト２１２に対応する位置に複数のスリット２１５が形成されている。カードＡ用コンタクト２１２は、このスリット２１５を介して上方側に露出できるように構成されている。
【００３５】
図７は、本実施の形態に係るコネクタ１の断面図である。図７においては、図３に示す一点鎖線Ａから左方側の断面を示している。なお、図７においては、コネクタ１にカードＡ、Ｂのいずれも挿入されていない状態、所謂、初期状態について示している。また、図７においては、同図に示す右方側がコネクタ１の前方側に相当し、同図に示す左方側がコネクタ１の後方側に相当する。
【００３６】
図７に示すように、カードＢ用コンタクト２０８、２０９は、ベース部２０１の中央近傍に形成された開口部２０７の端面に設けられ、それぞれ前方側、後方側に延出している。保護部材８は、これらのカードＢ用コンタクト２０８、２０９の近傍で、その前方側部分を上方側に延出した状態でその後端部近傍がベース部２０１に取り付けられている。回動部材７は、その前方側部分を上方側に延出した状態でその後端部近傍がスライド部材６に取り付けられている。回動部材７の前端部は、保護部材８の中央近傍の上方側に配置されており、後述するように、カードＡの挿入に伴って保護部材８を下方側に押圧可能に構成されている。
【００３７】
一方、ガイド部２１１は、開口部２０７の前方側に設けられている。保持壁部２１３は、ガイド部２１１の前方側端部近傍に立設されており、その上端部近傍でカードＡ用コンタクト２１２を保持している。カードＡ用コンタクト２１２は、その先端部を後方側に延出した状態で保持されており、その前方側の端部は、コネクタ１の前面部から外側に導出されている。保護板部２１４は、カードＡ用コンタクト２１２の先端部よりも僅かに後方側の位置まで延出しており、その先端部にカードＡ用コンタクト２１２の先端部の傾斜面に対応するテーパ面２１４ａが形成されている。
【００３８】
ここで、本実施の形態に係るコネクタ１が有する回動部材７の構成について説明する。図８は、コネクタ１が有する回動部材７の上面図（ａ）及び下面図（ｂ）である。図９は、コネクタ１が有する回動部材７の側面図（ａ）及び側断面図（ｂ）である。なお、図８及び図９においては、同図に示す上方側がコネクタ１の前方側に相当し、同図に示す下方側がコネクタ１の後方側に相当する。また、図９（ｂ）においては、図８（ａ）に示す一点鎖線Ｂから左方側の断面について示している。
【００３９】
図８（ａ）、（ｂ）に示すように、回動部材７においては、コネクタ１の左右方向に延在するガイド部７０１の側端部から一対の腕部７０２、７０３が後方側に延出している。腕部７０２と、腕部７０３との間は、カードＢの幅方向の寸法と略同一の長さに設定されており、後述するように、カードＢの挿入時にカードＢの前方部を受け入れ、その側面部をガイドする。
【００４０】
腕部７０２、７０３の上面における側方側端部には、コネクタ１に挿入されたカードＡの側端部をガイドするガイド壁７０２ａ、７０３ａが立設されている。これらのガイド壁７０２ａ、７０３ａの上面は、カードＢが挿入された場合にスライド部材６の腕部６０２、６０３の下面と当接して回動部材７の回動を規制する。
【００４１】
また、腕部７０２には、左方側に突出する係止片７０２ｂが設けられている。この係止片７０２ｂは、左方側の軸７０４に取り付けられた捻りコイルばね１０の一端を係止する。なお、この捻りコイルばね１０は、他端をスライド部材７に係止される。この捻りコイルばね１０の付勢力により、回動部材７が上方側に押し上げられている。
【００４２】
図８（ｂ）に示すように、ガイド部７０１の下面の所定位置には、一対の当接片７０１ａ、ｂが設けられている。これらの当接片７０１ａ、ｂは、図９（ａ）、（ｂ）に示すように、ガイド部７０１の下面から下方側に僅かに突出するように設けられている。これらの当接片７０１ａ、ｂは、その後方側端部に、コネクタ１に挿入されるカードＢの前端部が当接するように構成されている。また、当接片７０１ａ、ｂは、コネクタ１に対するカードＡの挿入に伴って、その下面で保護部材８を下方側に押圧するように構成されている。
【００４３】
また、図８（ｂ）に示すように、ガイド部７０１の下面の後方側端部には、接触面としてのガイド面７０１ｃが設けられている。ガイド面７０１ｃは、コネクタ１に挿入されるカードＢの上面と接触し、上方側への移動を規制するためのものである。ガイド面７０１ｃは、図９（ｂ）に示すように、その後方側がガイド部７０１の下面から僅かに上方側に傾斜している。このガイド面７０１ｃの表面がカードＢの上面と接触することで、カードＢの上方側への移動が規制されることとなる。
【００４４】
次に、本実施の形態に係るコネクタ１に対して各カードを装着する際の動作について説明する。図１０〜図１５は、コネクタ１に対してカードＡを装着する際の動作を説明するための図である。図１６〜図２１は、コネクタ１に対してカードＢを装着する際の動作を説明するための図である。なお、図１０〜図２１においては、説明の便宜上、カバー部材３を省略している。
【００４５】
まず、コネクタ１に対してカードＡを装着する際の動作について説明する。図１０は、本実施の形態に係るコネクタ１に対してカードＡを挿入した場合の上面図である。図１１は、図１０に示す状態のコネクタ１の断面図である。なお、カードＡの挿入前においては、コネクタ１は、図３及び図７に示す状態となっている。
【００４６】
コネクタ１に対してカードＡを装着する場合には、ハウジング２に設けられた第１ガイド部２０４にカードＡの側面及び下面を合わせた状態でコネクタ１の内部にカードＡを押し込む（図２参照）。このようにコネクタ１の内部に押し込む過程で、カードＡの前端部がシャッタ部材５に当接する。これにより、シャッタ部材５０１が後方側に倒れるように回動する。
【００４７】
この状態からカードＡを押し込み、図１０及び図１１に示すように、その前端部が回動部材７に到達すると、カードＡが回動部材７を押し下げる。このとき、回動部材７のガイド部７０１の下面がカードＢ用コンタクト２０８に接触すると共に、当接片７０１ａ、ｂが保護部材８に接触する。そして、カードＡを更に押し込むと、回動部材７がガイド部７０１でカードＢ用コンタクト２０８を押し下げると共に、当接片７０１ａ、ｂで保護部材８を押し下げながら、前方側に移動する。保護部材８が一定位置以上に押し下げられると、その下面でカードＢ用コンタクト２０９も押し下げられる。
【００４８】
このように本実施の形態に係るコネクタ１においては、カードＡの挿入に伴って回動部材７が回動する際、回動部材７の下面をカードＢ用コンタクト２０８に接触させ、カードＢ用コンタクト２０８をカードＡの挿入経路から離れる方向に移動させている。また、回動部材７の回動に伴って保護部材８を回動させ、この回動によりカードＢ用コンタクト２０９をカードＡの挿入経路から離れる方向に移動させている。これにより、カードＡとカードＢ用コンタクト２０８、２０９とが接触することによるカードＢ用コンタクト２０８、２０９の損傷を防止することが可能となっている。
【００４９】
図１０及び図１１に示す状態からカードＡを更に押し込み、図１２及び図１３に示すように、その先端部がスライド部材６の当接部６０１に到達すると、カードＡの前端部が当接部６０１に当接する。なお、この場合において、回動部材７は、カードＡの挿入経路から下方側に退避した状態となっている。また、カードＢ用コンタクト２０８、２０９は、保護部材８により下方側に押圧され、カードＡの下面に接触しない位置に配置されている。
【００５０】
図１２及び図１３に示す状態からカードＡを更に押し込むと、不図示の付勢ばねの付勢力に抗して、スライド部材６がカードＡと共に前方側に移動する。このカードＡの移動に伴い、図１５に示すように、その前方部がカードＡ用コンタクト２１２に対応する位置に到達し、接触パッドにカードＡ用コンタクト２１２が接触した状態となる。なお、このスライド部材６の移動に応じて係止部材９の前端部が、ガイド溝６０４の第１ガイド溝６０４ａ内を摺動する。そして、その前端部が、第１ガイド溝６０４ａの後端部まで到達した後、ユーザがカードＡを押し込む手を離すと、図１４に示すように、係止部材９の前端部が凹み溝６０４ｃの係止部に入り込んでロック状態となる。
【００５１】
なお、図１４及び図１５に示すロック状態から、カードＡを抜き取る場合には、カードＡを更に押し込むことにより、係止部材９の前端部を凹み溝６０４ｃの係止部から出し、第２ガイド溝６０４ｂに移動させる。これにより、ロック状態が解除される。ロック状態が解除されると、不図示の付勢ばねの付勢力に応じてスライド部材６が後方側に押し出され、図１２に示す位置に配置される。ユーザは、この状態のカードＡを後方側に引っ張ることにより、コネクタ１からカードＡを抜き取ることが可能となる。このようにしてコネクタ１にカードＡを装着する際の動作と、抜き取る際の動作が行われる。
【００５２】
次に、本実施の形態に係るコネクタ１に対してカードＢを装着する際の動作について説明する。図１６は、本実施の形態に係るコネクタ１に対してカードＢを挿入した場合の上面図である。図１７は、図１６に示す状態のコネクタ１の断面図である。なお、カードＢの挿入前において、コネクタ１は、図３及び図７に示す状態となっている。
【００５３】
コネクタ１に対してカードＢを装着する場合には、ハウジング２に設けられた第２ガイド部２０５にカードＢの側面及び下面を合わせた状態でコネクタ１の内部にカードＢを押し込む（図２参照）。このようにコネクタ１の内部に押し込む過程で、カードＢは、図１６及び図１７に示すように、その前方部がシャッタ部材５の下方側を通過する。具体的には、シャッタ部材５の下端部に設けられた凹部５０２を通過する。なお、この場合において、カードＢが接触することなく通過するため、シャッタ部材５が回動することはない。
【００５４】
図１６及び図１７に示す状態からカードＢを押し込むと、その前方部が回動部材７の下方側に入り込む。そして、図１８及び図１９に示すように、回動部材７の当接片７０１ａ、ｂに到達すると、カードＢの前端部が当接片７０１ａ、ｂに当接する。このとき、カードＢの前方部は、図１８に示すように、回動部材７の腕部７０２、７０３の間に入り込み、側方側への移動を規制された状態となっている。また、回動部材７のガイド部７０１のガイド面７０１ｃは、カードＢの上面に接触している。一方、回動部材７の腕部７０２、７０３のガイド壁７０２ａ、７０３ａの上面は、スライド部材６の腕部６０２、６０３の下面に当接し、回動部材７の回動が規制された状態となっている。このため、ガイド面７０１ｃにより、カードＢの上方側への移動が規制され、適切にカードＢの装着位置にガイドされることとなる。
【００５５】
図１８及び図１９に示す状態からカードＢを更に押し込むと、不図示の付勢ばねの付勢力に抗して、カードＢと共に回動部材７が前方側に移動する。そして、この回動部材７が取り付けられているスライド部材６も一緒に前方側に移動する。このとき、カードＢは、その下面で保護部材８を押し下げながら、前方側に移動している。このカードＢの移動に伴い、図２１に示すように、その前方部がカードＢ用コンタクト２０８、２０９に対応する位置に到達し、接触パッドにカードＢ用コンタクト２０８、２０９が接触した状態となる。なお、カードＡの場合と同様に、スライド部材６の移動に応じて係止部材９の前端部が、ガイド溝６０４の第１ガイド溝６０４ａ内を摺動する。そして、その前端部が、第１ガイド溝６０４ａの後端部まで到達した後、ユーザがカードＢを押し込む手を離すと、図２０に示すように、係止部材９の前端部が凹み溝６０４ｃの係止部に入り込んでロック状態となる。
【００５６】
なお、図２０及び図２１に示すロック状態から、カードＢを抜き取る場合には、カードＢを更に押し込むことにより、係止部材９の前端部を凹み溝６０４ｃの係止部から出し、第２ガイド溝６０４ｂに移動させる。これにより、ロック状態が解除される。ロック状態が解除されると、不図示のコイルばねの付勢力に応じてスライド部材６が後方側に押し出され、図１８に示す位置に配置される。ユーザは、この状態のカードＢを後方側に引っ張ることにより、コネクタ１からカードＢを抜き取ることが可能となる。このようにしてコネクタ１にカードＢを装着する際の動作と、抜き取る際の動作が行われる。
【００５７】
このように本実施の形態に係るコネクタ１によれば、スライド部材６に支持される回動部材７が、カードＢの挿入に伴ってスライド部材６と共に移動してカードＢを装着位置にガイドする一方、カードＢよりも長さ方向の寸法が長いカードＡの挿入に伴って回動してその挿入を許容することから、カードＡの挿入に伴う回動部材７の奥行き方向の移動のための空間を設ける必要がないので、装置の奥行き方向の寸法を小さくすることが可能となる。
【００５８】
また、本実施の形態に係るコネクタ１においては、回動部材７が、カードＢの挿入時に、カードＢの前端部及び上面部と接触した状態でスライド部材６と共に前方側に移動してカードＢの装着位置にガイドすることから、カードＢを上方側に移動させることなく、適切に装着位置に配置することが可能となる。特に、本実施の形態に係るコネクタ１においては、カードＢの側面部と接触してカードＢの側方側への移動を規制している。これにより、より正確にカードＢをその装着位置に配置することが可能となる。
【００５９】
さらに、本実施の形態に係るコネクタ１においては、回動部材７が、カードＢの前端部と当接する当接片７０１ａ、ｂと、カードＢの上面と接触するガイド面７０１ｃとを備えている。これにより、当接片７０１ａ、ｂ及びガイド面７０１ｃという簡単な構成を用いて、カードＢの前端部と当接してスライド部材６と共に挿入方向の前方側に移動すると共に、カードＢの装着位置にガイドすることが可能となる。
【００６０】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００６１】
例えば、上記実施の形態においては、カードＢをその装着位置にガイドする際、コネクタ１に挿入されたカードＢの前端部に回動部材７の当接片７０１ａ、ｂを当接させ、カードＢの上面にガイド面７０１ｃを接触させる場合について示している。しかし、カードＢと、回動部材７との接触の態様については、これに限定されるものではなく適宜変更が可能である。カードＢを所定の装着位置に適切にガイドすることができれば、いかなる構成を用いても良い。
【図面の簡単な説明】
【００６２】
【図１】本発明の一実施の形態に係るコネクタの外観を示す斜視図である。
【図２】上記実施の形態に係るコネクタの内部の構成を説明するための斜視図である。
【図３】上記実施の形態に係るコネクタの内部の構成を説明するための上面図である。
【図４】図２及び図３に示すカード用コネクタを前方側から示す図である。
【図５】上記実施の形態に係るコネクタの内部の構成を説明するための斜視図である。
【図６】上記実施の形態に係るコネクタの内部の構成を説明するための上面図である。
【図７】上記実施の形態に係るコネクタの断面図である。
【図８】上記実施の形態に係るコネクタが有する回動部材の上面図（ａ）及び下面図（ｂ）である。
【図９】上記実施の形態に係るコネクタが有する回動部材の側面図（ａ）及び側断面図（ｂ）である。
【図１０】上記実施の形態に係るコネクタに対してカードＡを装着する際の動作を説明するための図である。
【図１１】上記実施の形態に係るコネクタに対してカードＡを装着する際の動作を説明するための図である。
【図１２】上記実施の形態に係るコネクタに対してカードＡを装着する際の動作を説明するための図である。
【図１３】上記実施の形態に係るコネクタに対してカードＡを装着する際の動作を説明するための図である。
【図１４】上記実施の形態に係るコネクタに対してカードＡを装着する際の動作を説明するための図である。
【図１５】上記実施の形態に係るコネクタに対してカードＡを装着する際の動作を説明するための図である。
【図１６】上記実施の形態に係るコネクタに対してカードＢを装着する際の動作を説明するための図である。
【図１７】上記実施の形態に係るコネクタに対してカードＢを装着する際の動作を説明するための図である。
【図１８】上記実施の形態に係るコネクタに対してカードＢを装着する際の動作を説明するための図である。
【図１９】上記実施の形態に係るコネクタに対してカードＢを装着する際の動作を説明するための図である。
【図２０】上記実施の形態に係るコネクタに対してカードＢを装着する際の動作を説明するための図である。
【図２１】上記実施の形態に係るコネクタに対してカードＢを装着する際の動作を説明するための図である。
【符号の説明】
【００６３】
１  カード用コネクタ装置（コネクタ）
２  ハウジング
２０１  ベース部
２０２  側壁部
２０３  孔
２０４  第１ガイド部
２０５  第２ガイド部
２０６  規制壁
２０７  開口部
２０８、２０９  カードＢ用コンタクト
２１０  開口部
２１１  ガイド部
２１２  カードＡ用コンタクト
２１３  保持壁部
２１４  保護板部
２１５  スリット
３  カバー部材
３０１  付勢片
４  カード挿入口
５  シャッタ部材
５０１  軸
５０２  凹部
６  スライド部材
６０１  当接部
６０２、６０３  腕部
６０３  開口部
６０４  ガイド溝
７  回動部材
７０１  ガイド部
７０１ａ、ｂ  当接片
７０１ｃ  ガイド面
７０２、７０３  腕部
７０４  軸
８  保護部材
９  係止部材
１０  捻りコイルばね
【図１】
0004481334.tif 000002
【図２】
0004481334.tif 000003
【図３】
0004481334.tif 000004
【図４】
0004481334.tif 000005
【図５】
0004481334.tif 000006
【図６】
0004481334.tif 000007
【図７】
0004481334.tif 000008
【図８】
0004481334.tif 000009
【図９】
0004481334.tif 000010
【図１０】
0004481334.tif 000011
【図１１】
0004481334.tif 000012
【図１２】
0004481334.tif 000013
【図１３】
0004481334.tif 000014
【図１４】
0004481334.tif 000015
【図１５】
0004481334.tif 000016
【図１６】
0004481334.tif 000017
【図１７】
0004481334.tif 000018
【図１８】
0004481334.tif 000019
【図１９】
0004481334.tif 000020
【図２０】
0004481334.tif 000021
【図２１】
0004481334.tif 000022